(57)【要約】      （修正有）【課題】外部画像信号を表示することができる一体型コンピュータ装置の回路装置を提供する。【解決手段】一体型コンピュータ装置３０がそれぞれ独立して運転することができるコンピュータ本体モジュール３０１及び表示装置モジュール３０３からなり、回路装置として外部画像ソースが接続される外付け画像インターフェース３０９と、外付け画像インターフェース３０９の信号に基づいて一体型コンピュータ装置３０内の表示装置モジュール３０３を起動するか否かを判断する信号処理ユニット３０７とを含む。回路装置内には、電力管理ユニット３０５が設けられ、運転方式の違いによって供給電圧を切り換える。供給電圧は、回路装置が外部信号を検出するために供給される最小電力と、表示装置モジュール３０３を運転するために供給される電力とを含む。【選択図】図３
0003194235.tif 000002
【実用新案登録請求の範囲】
【請求項１】
外部画像信号を表示することができる一体型コンピュータ装置中に設けられる回路装置であって、
前記回路装置は、外部画像ソースが接続される外付け画像インターフェースと、信号処理ユニットと、電力管理ユニットと、を有し、
前記外付け画像インターフェースは、前記一体型コンピュータ装置の表示装置モジュールに電気的に接続され、
前記信号処理ユニットは、前記外付け画像インターフェースに電気的に接続され、前記外部画像ソースの画像信号の判断及び処理を行い、
前記電力管理ユニットは、前記信号処理ユニット及び前記表示装置モジュールに電気的に接続され、前記回路装置が前記外部画像ソースの画像信号を受信すると、前記表示装置モジュールを起動して電力を供給し、前記表示装置モジュールに前記画像信号を表示することを特徴とする回路装置。
【請求項２】
前記電力管理ユニットは、前記一体型コンピュータ装置中のコンピュータ本体モジュールに電力を供給することを特徴とする請求項１に記載の回路装置。
【請求項３】
前記電力管理ユニットは、前記表示装置モジュールに少なくとも２種類の電圧を供給し、前記２種類の電圧は、待機状態を保持する第１の電圧と、前記表示装置モジュールに供給してコンテンツを表示する第２の電圧と、を有することを特徴とする請求項１に記載の回路装置。
【請求項４】
前記第１の電圧は、前記回路装置によって前記外付け画像インターフェースが前記外部画像ソースの画像信号を受信したか否かを検出するために供給される最小電力であることを特徴とする請求項３に記載の回路装置。
【請求項５】
前記外付け画像インターフェースは、ＨＤＭＩ（登録商標）規格に符合するインターフェースであることを特徴とする請求項４に記載の回路装置。
【請求項６】
前記外部画像インターフェース中の少なくとも１つのピンは、前記外部画像ソースから画像信号を受信したか否かを検出することを特徴とする請求項５に記載の回路装置。
【請求項７】
一体型コンピュータ装置中に応用される外部画像信号を表示する作用を有する装置であって、
外付け画像インターフェースによって外部画像ソースから伝送された画像信号を検出するステップと、
供給電圧を切り換え、前記一体型コンピュータ装置の表示装置モジュールを起動し、前記表示装置モジュールに独立して電力を供給し、前記画像信号を表示するステップと、を含むことを特徴とする外部画像信号を表示するようにした装置。
【請求項８】
前記外付け画像インターフェースは、ＨＤＭＩ（登録商標）規格に符合するインターフェースであり、前記外部画像インターフェース中の少なくとも１つのピンによって前記外部画像ソースから画像信号を受信したか否かを検出することを特徴とする請求項７に記載の外部画像信号を表示する装置。
【請求項９】
前記一体型コンピュータ装置が待機状態において前記外部画像ソースの画像信号を検出する際、前記電力管理ユニットは、最小電力によって前記外部画像インターフェースに電力を供給することを特徴とする請求項８に記載の外部画像信号を表示する装置。
【請求項１０】
前記一体型コンピュータ装置は、電力管理ユニットを有し、前記電力管理ユニットは、前記表示装置モジュールに少なくとも２種類の電圧を供給し、前記外部画像ソースが伝送した画像信号を受信すると、前記電力管理ユニットは、コンテンツを表示する電圧に切り換えて前記表示装置モジュールに供給することを特徴とする請求項７に記載の外部画像信号を表示する装置。
【考案の詳細な説明】
【技術分野】
【０００１】
本考案は、外部画像信号を表示することができる一体型コンピュータ装置の回路装置に関し、特に、待機状態で外部画像装置が接続されると電力を切り換える回路と、画像を表示するライン接続する回路装置に関する。
【背景技術】
【０００２】
従来のデスクトップコンピュータ本体と表示装置とが分離した方式と異なり、表示装置と本体とが１つの筐体内に統合された一体型(All-in-One)コンピュータもコンピュータを購買する際の選択肢の１つとなっている。
【０００３】
一体型コンピュータは、空間を占有せず、美観性が高く、移動に便利であるなどの長所を有する上、多くの接続ケーブルが卓上に散乱することがない。しかし、拡張したり、部品を変更したりするのが難しい上、表示装置とコンピュータ本体とが一体になっているため、表示装置を他の表示用途に使用しにくい。また、コンピュータ本体又は表示装置が損壊した場合、表示装置及びコンピュータ本体の両方を交換しなければならなくなる虞がある。
【０００４】
従来技術中、一体型コンピュータは、表示装置とコンピュータ本体とを分離することができないため、用途が制限される。本考案の考案者は、上述の問題に鑑み、研究開発を行い、上述の問題を合理的に解決することができる本考案を案出した。
【先行技術文献】
【特許文献】
【０００５】
【特許文献１】特開２０１４−１０２５９９号公報
【考案の概要】
【考案が解決しようとする課題】
【０００６】
本考案の目的は、外部画像信号を表示することができる一体型コンピュータ装置の回路装置を提供することにある。
【課題を解決するための手段】
【０００７】
上述の課題を解決するために、本考案は、外部画像信号を表示することができる一体型コンピュータ装置の回路装置を提供するものである。一体型コンピュータ装置は、独立して運転することができるコンピュータ本体モジュール及び表示装置モジュールを有する。
本考案の回路装置を応用した一体型コンピュータ装置は、待機状態で外部画像装置が接続されると電力モードを切り換える電力切換回路を有する。
【０００８】
回路装置の主要な素子としては、外部画像ソースが接続される外付け画像インターフェースと、外部画像ソースの画像信号の判断及び処理を行う信号処理ユニットと、電力管理ユニットと、を有する。電力管理ユニットは、本考案の回路装置が外部画像ソースからの画像信号を受信すると、表示装置モジュールを起動して電力を供給する。電力管理ユニットは、表示装置モジュールに少なくとも２種類の電圧を供給する。２種類の電圧は、待機状態を保持する第１の電圧と、表示装置モジュールに供給してコンテンツを表示する第２の電圧と、を含む。
【０００９】
第１の電圧は、回路装置によって外付け画像インターフェースが画像信号を受信したか否かを検出するために供給される最小電力であり、装置の待機状態を維持する電力を含む。第２の電圧は、表示装置モジュールが運転するために供給される電圧である。
【００１０】
本考案は、一体型コンピュータ装置に応用される外部画像信号を表示する装置を提供する。本考案の装置の回路の作用は、待機過程中において、外付け画像インターフェースによって外部画像ソースから伝送された画像信号が有るか否かを検出することができる。信号を受信した場合、電力管理ユニットが供給電圧を切り換え、表示装置モジュールを起動し、表示装置モジュールに独立して電力を供給し、画像信号を表示する。
【考案の効果】
【００１１】
本考案の外部画像信号を表示することができる一体型コンピュータ装置の回路装置により、一体型コンピュータ装置の表示装置の運用性を高めることができ、独立して運転させて外部画像ソースの信号を表示するために用いることができる。
【図面の簡単な説明】
【００１２】
【図１】本考案の外部画像信号を表示することができる一体型コンピュータ装置を示す斜視図である。
【図２】本考案の外部画像信号を表示することができる一体型コンピュータ装置の回路装置を示すブロック図である。
【図３】本考案の外部画像信号を表示することができる一体型コンピュータ装置の他の回路装置を示すブロック図である。
【図４】本考案の外部画像信号のライン接続装置の回路の作用を示す流れ図である。
【考案を実施するための形態】
【００１３】
本考案の目的を達成するために採用した技術、装置の回路の作用及び効果を明らかにするために、本考案の詳細な説明及び図面を以下に示す。図面及び添付資料は、参考及び説明のために提供するものであり、本考案を限定するものではない。
【００１４】
本考案の回路装置は、一体型コンピュータ装置(All-in-One computer)に設けられる電力切換回路である。本考案の回路装置により、一体型コンピュータ中の表示装置を独立して運転させ、外部画像信号ソースから伝送される画像信号を表示するために用いることができる。
【００１５】
実施形態の１つとして、図１は、本考案の外部画像信号を表示することができる一体型コンピュータ装置を示す斜視図である。
【００１６】
本実施形態中、１つの一体型(All-in-One)のコンピュータ装置１０を示す。本実施形態中の一体型コンピュータは、表示装置１０３と従来のコンピュータ本体１０５とが一体となったコンピュータ装置１０であり、外付け式又は内蔵式のキーボード、マウスなどの周辺装置を接続することができる。本考案の特徴として、一般の一体型コンピュータ装置のように、コンピュータ本体１０５及び表示装置１０３が電力を共用する統合装置ではなく、本考案のコンピュータ装置１０は、それぞれ独立して運転することができるコンピュータ本体１０５部分及び表示装置１０３部分を含み、特に、両者の回路を独立して運転させることができる回路装置を含む。
【００１７】
図１中に示すコンピュータ装置１０（コンピュータ本体１０５部分）上には、外部画像ソース１２が接続される接続インターフェースが設けられる。本実施形態中、外部画像ソース１２は、ＤＶＤ再生装置、セットトップボックス（ＳＴＢ）、他の電子装置などの画像及び／又は音声の出力インターフェースを有する画像ソースである。本実施形態中、外部画像ソース１２とコンピュータ装置１０との間は、ＨＤＭＩ（登録商標）(High Definition Multimedia Interface)規格に符合する外付け画像インターフェースが採用されるのが好ましいが、これのみに限定されず、他の標準規格の画像インターフェースを採用することもできる。
【００１８】
ＨＤＭＩ（登録商標）は、完全デジタル化された画像及び音声の伝送インターフ  ェースであり、高解析度の画像信号を伝送することができる。ＨＤＭＩ（登録商標）は、各種画像音声装置に適用され、音声信号及び画像信号を同一のケーブルで伝送することができる。
【００１９】
外部画像信号処理、内部信号処理及び電力切換を行う回路として、図２を参照する。図２は、本考案の外部画像信号を表示することができる一体型コンピュータ装置の回路装置を示すブロック図である。
【００２０】
図２に示す本考案の一実施形態中、回路装置は、各回路素子間の信号を処理するマイクロコントローラ(micro-controller)２０１を含む。マイクロコントローラ２０１は、外部画像装置が回路装置に接続された信号があるか否かを判断するためと、電力制御信号を生成するためと、に用いられる。図２に示す実施形態中、マイクロコントローラ２０１は、外付け画像インターフェース２０３と、電源スイッチ２０５と、商用電源又は外部電源に接続される電力管理ユニット２０７と、に電気的に接続される。その他、電力管理ユニット２０７は、必要に応じて一体型コンピュータ装置中のコンピュータ本体モジュール２０９及び表示装置モジュール２１１に電気的に接続することができる。
【００２１】
図２に示す回路中、外付け画像インターフェース２０３は、独立して動作することができる表示装置モジュール２１１に電気的に接続される。表示装置モジュール２１１は、通常のコンピュータ装置の動作モードにおいては、コンピュータ本体モジュール２０９の表示装置とされる。本考案の特徴として、電力管理ユニット２０７は、表示装置モジュール２１１に少なくとも２種類の電圧を供給することができ、図２に示すように、第１の電力ライン２１及び第２の電力ライン２２を介して異なる動作電圧（例えば、待機状態を保持する第１の電圧と、表示装置モジュール２１１に供給してコンテンツを表示する第２の電圧）を供給することができる。
【００２２】
電源スイッチ２０５は、一体型コンピュータ装置の電源起動インターフェースであり、ユーザが電源スイッチ２０５を押圧又は接触することによって発生する信号をマイクロコントローラ２０１が読取及び判断することにより、電力制御信号を生成して電力管理ユニット２０７に伝送すると同時に、コンピュータ本体モジュール２０９及び表示装置モジュール２１１を起動し、商用電源又は特定の外部電源から電力を供給する（通常のコンピュータ装置の動作モード）。
【００２３】
外付け画像インターフェース２０３は、本考案の回路装置と外部画像ソースとを接続する接続インターフェース（図１参照）であり、例えば、前述のＨＤＭＩ（登録商標）又は他の画像音声インターフェースである。外付け画像インターフェース２０３中には、外部画像ソースから画像信号を受信したか否かを検出するために用いられる少なくとも１つのピンが設けられる。待機状態においては、コンピュータ装置中の電力管理ユニット２０７は、本考案の回路装置に外部信号を検出するために用いられる最小電力（コンピュータ装置の待機状態を維持する電力）の電圧を供給する。例えば、ケーブル上のピンによって特定の規格のケーブルが接続されたか否かを検出することができるため、一体型コンピュータ装置の本体が起動していない状態の下、ＨＤＭＩ（登録商標）ケーブルがコンピュータ本体に接続された場合、コンピュータ本体の電源管理メカニズム（電力管理ユニット２０７）が自動的に電力を供給する。反対に、コンピュータ本体がＨＤＭＩ（登録商標）ケーブルの接続を検出しない場合、本体は、待機状態を維持するために、小電圧（待機状態の維持に必要な約０．４８Ｗの最小の電圧）の供給を維持する。
【００２４】
信号検出に関して述べると、ケーブルが外付け画像インターフェース２０３に接続された上、画像音声信号の伝送が開始された場合、前述の特定のピン又は信号によって電圧差が発生するため、電圧信号を検出することにより、回路装置中のマイクロコントローラ２０１が回路制御信号を生成して電力管理ユニット２０７に伝送し、表示装置モジュール２１１を起動する電圧を生成する。また、外部画像コンテンツを表示する動作モードにおいては、回路装置は、表示装置モジュール２１１に独立して電力を供給する。
【００２５】
図３は、本考案の回路装置の他の回路を示すブロック図である。
【００２６】
コンピュータ装置３０が通常運転する際（即ち、外部画像信号を表示しない場合）、ユーザが起動インターフェース３０８（電源スイッチ、装置スイッチなど）によって装置を起動すると、コンピュータ本体モジュール３０１は、この信号をマイクロコントローラ（２０１：図２参照）によって処理した後、電力管理ユニット３０５に通知する。電力管理ユニット３０５は、コンピュータ本体モジュール３０１（本体電力接続ライン３１４を介する）及び表示装置モジュール３０３（表示装置電力接続ライン３１１を介する）に電力を供給する。これにより、表示装置モジュール３０３は、コンピュータ本体モジュール３０１が生成する画像画面の処理及び表示を行うために用いられる。図３に示すように、画像信号経路は、本体画像信号接続ライン３１２によって示す。
【００２７】
本実施形態は、主に、本考案の回路装置の一体型コンピュータ装置３０の内部の主要な回路の特徴を示し、外部の画像出力装置３２などの外部画像ソース（図１の１２等を参照）が接続される外付け画像インターフェース３０９を含む。外付け画像インターフェース３０９は、信号処理ユニット３０７に電気的に接続される。外付け画像インターフェース３０９は、外部画像ソースから伝送される画像信号（音声信号を含んでもよい）を取得するために用いられる。信号処理ユニット３０７は、外部画像ソースの画像信号の判断及び処理を行うために用いることができ、画像音声信号を処理した後、必要な圧縮、デコード、エンコード及び伝送を行い、信号を表示装置モジュール３０３に直接伝送する（例えば、画像信号接続ライン３１３を介して信号を伝送する）。
【００２８】
電力管理ユニット３０５は、信号処理ユニット３０７及び表示装置モジュール３０３に電気的に接続される。回路装置が外付け画像インターフェース３０９を介して外部画像ソースの画像信号を受信する（即ち、回路装置が外部画像信号を受信する）際、信号は、信号処理ユニット３０７が取得する以外に、電力管理ユニット３０５（図２参照）も同時に取得する。電力管理ユニット３０５は、表示装置モジュール３０３を起動して独立して電力を供給し、表示装置モジュール３０３に画像信号が表示される。
【００２９】
前述の実施形態の回路装置が外部画像信号を接続する装置の作用を図４に示す流れ図を用いて説明する。
【００３０】
本実施形態のステップにおいて、ステップを開始する際、回路装置は、待機状態である。即ち、回路装置中の電力管理ユニットは、最小の必要電力（第１の電圧と定義する）を外付け画像インターフェースに供給し、外部画像ソースから伝送される画像信号を受信したか否かを検出する。
【００３１】
ステップＳ４０１に示すように、回路装置の外付け画像インターフェース（図２の２０３、図３の３０９等を参照）が画像接続ケーブルを検出し、伝送信号の接点信号を検出すると（例えば、インターフェース内の少なくとも１つのピンを介してこの信号を検出する）、コンピュータ装置は、電力管理を行う関連回路を駆動して電力の切り換えを行い、供給電圧を本来の待機状態の第１の電圧から大電力（第２の電圧と定義する）に切り換える（ステップＳ４０３）。この際、回路装置が表示装置モジュールを起動し（ステップＳ４０５）、表示装置モジュールに独立して電力を供給する上、受信した画像信号を表示する（ステップＳ４０７及びステップＳ４０９）。
【００３２】
本実施形態では、本考案の回路装置が外部画像信号を受信すると、供給電圧を自動的に切り換え、独立して運転する表示装置モジュールに受信した画像信号を表示する特徴を示す。特に、一体型コンピュータ装置が通常運転中において、外部画像信号を受信した場合、ユーザが表示装置に表示するコンテンツを自ら決定することができる。
【００３３】
ここで、本考案の一体型コンピュータ装置の表示装置モジュール及びコンピュータ本体モジュールを別々に運転するメカニズムにおいて、コンピュータ本体への電源供給は、特定のアンペアに符合するため、特定の国家の安全基準（例えば、米国で採用されるＡＮＳＩ／ＵＬ基準、カナダで採用されるＣＳＡ基準、ヨーロッパで採用されるＥＮ基準、ＩＥＣ国際基準など）を満たせず、不適切な電力によって運転に支障が生じる問題がない。即ち、本考案の一体型コンピュータ装置内に設けられる回路装置により、コンピュータ装置内の表示装置を独立して起動し、外部画像信号を表示することができる。特に、待機状態時には、第１の電圧を供給し、画像音声信号を受信すると、表示装置を起動して第２の電圧を供給する電力管理回路が設けられることにより、表示装置とコンピュータ本体とに別々に電力供給及び運転を行い、一体型コンピュータに外部からの画像及び／又は音声を表示する目的を達成する。
【００３４】
以上の説明は、本考案の実施形態を示すものであり、本考案の実用新案登録請求の範囲に基づく同等効果である変更及び修飾は、本考案の範囲に含まれる。
【符号の説明】
【００３５】
１０  コンピュータ装置
１０３  表示装置
１０５  コンピュータ本体
１２  外部画像ソース
２０１  マイクロコントローラ
２０３  外付け画像インターフェース
２０５  電源スイッチ
２０７  電力管理ユニット
２０９  コンピュータ本体モジュール
２１１  表示装置モジュール
２１  第１の電力ライン
２２  第２の電力ライン
３０  コンピュータ装置
３０１  コンピュータ本体モジュール
３０３  表示装置モジュール
３０５  電力管理ユニット
３０７  信号処理ユニット
３０８  起動インターフェース
３０９  外付け画像インターフェース
３１１  表示装置電力接続ライン
３１２  本体画像信号接続ライン
３１４  本体電力接続ライン
３１３  画像信号接続ライン
３２  画像出力装置
Ｓ４０１  外部画像信号ライン接続ステップ
Ｓ４０３  外部画像信号ライン接続ステップ
Ｓ４０５  外部画像信号ライン接続ステップ
Ｓ４０７  外部画像信号ライン接続ステップ
Ｓ４０９  外部画像信号ライン接続ステップ
【図１】
0003194235.tif 000003
【図２】
0003194235.tif 000004
【図３】
0003194235.tif 000005
【図４】
0003194235.tif 000006
【手続補正書】
【提出日】平成26年9月1日(2014.9.1)
【手続補正１】
【補正対象書類名】実用新案登録請求の範囲
【補正対象項目名】全文
【補正方法】変更
【補正の内容】
【実用新案登録請求の範囲】
【請求項１】
外部画像信号を表示することができる一体型コンピュータ装置中に設けられる回路装置であって、
前記回路装置は、外部画像ソースが接続される外付け画像インターフェースと、信号処理ユニットと、電力管理ユニットと、を有し、
前記外付け画像インターフェースは、前記一体型コンピュータ装置の表示装置モジュールに電気的に接続され、
前記信号処理ユニットは、前記外付け画像インターフェースに電気的に接続され、前記外部画像ソースの画像信号の判断及び処理を行い、
前記電力管理ユニットは、前記信号処理ユニット及び前記表示装置モジュールに電気的に接続され、前記回路装置が前記外部画像ソースの画像信号を受信すると、前記表示装置モジュールを起動して電力を供給し、前記表示装置モジュールに前記画像信号を表示することを特徴とする回路装置。
【請求項２】
前記電力管理ユニットは、前記一体型コンピュータ装置中のコンピュータ本体モジュールに電力を供給することを特徴とする請求項１に記載の回路装置。
【請求項３】
前記電力管理ユニットは、前記表示装置モジュールに少なくとも２種類の電圧を供給し、前記２種類の電圧は、待機状態を保持する第１の電圧と、前記表示装置モジュールに供給してコンテンツを表示する第２の電圧と、を有することを特徴とする請求項１に記載の回路装置。
【請求項４】
前記第１の電圧は、前記回路装置によって前記外付け画像インターフェースが前記外部画像ソースの画像信号を受信したか否かを検出するために供給される最小電力であることを特徴とする請求項３に記載の回路装置。
【請求項５】
前記外付け画像インターフェースは、ＨＤＭＩ（登録商標）規格に符合するインターフェースであることを特徴とする請求項４に記載の回路装置。
【請求項６】
前記外部画像インターフェース中の少なくとも１つのピンは、前記外部画像ソースから画像信号を受信したか否かを検出することを特徴とする請求項５に記載の回路装置。
【請求項７】
一体型コンピュータ装置中に応用される外部画像信号を表示する手段を有する装置であって、
該外部画像信号を表示する手段は、外部画像ソースが接続される外付け画像インターフェースと、信号処理ユニットと、電力管理ユニットとから構成され、
前記外付け画像インターフェースによって外部画像ソースから伝送された画像信号を検出するステップと、
前記電力管理ユニットは信号処理ユニット及び前記表示装置モジュールに電気的に接続するとともに供給電圧を切り換え、電力管理ユニットは前記一体型コンピュータ装置の表示装置モジュールを起動し、前記表示装置モジュールに独立して電力を供給し、前記信号処理ユニットからの前記画像信号を前記表示装置モジュールに表示するステップと、を含むことを特徴とする外部画像信号を表示するようにした装置。
【請求項８】
前記外付け画像インターフェースは、ＨＤＭＩ（登録商標）規格に符合するインターフェースであり、前記外部画像インターフェース中の少なくとも１つのピンによって前記外部画像ソースから画像信号を受信したか否かを検出することを特徴とする請求項７に記載の外部画像信号を表示する装置。
【請求項９】
前記一体型コンピュータ装置が待機状態において前記外部画像ソースの画像信号を検出する際、前記電力管理ユニットは、最小電力によって前記外部画像インターフェースに電力を供給することを特徴とする請求項８に記載の外部画像信号を表示する装置。
【請求項１０】
前記一体型コンピュータ装置は、電力管理ユニットを有し、前記電力管理ユニットは、前記表示装置モジュールに少なくとも２種類の電圧を供給し、前記外部画像ソースが伝送した画像信号を受信すると、前記電力管理ユニットは、コンテンツを表示する電圧に切り換えて前記表示装置モジュールに供給することを特徴とする請求項７に記載の外部画像信号を表示する装置。